(57)【特許請求の範囲】
【請求項１】
薄板材よりなり、
易折り線で区画され一列に配列された四角筒を構成するための４つの側面部と、
前記４つの側面部のいずれか一方の端の側面部より易折り線を介して延在されかつ箱形成時に折り込まれ他方の端の側面部の内側に重ね接着されるフラップと、
前記４つの側面部のそれぞれの両側に易折り線を介して延在される８つの蓋片部と、を有してなり、
前記８つの蓋片部の中、側面部配列方向の寸法が大きい２つの側面部に延在される４つの蓋片部は、前記４つの側面部で四角筒を構成し該四角筒の開口を先に閉じる内側蓋片部であって、側面部より延在する方向の長さが前記四角筒の短辺中央にて突合せ状態に閉じる大きさであり、
前記８つの蓋片部の中、側面部配列方向の寸法が小さい２つの側面部に延在される４つの蓋片部は、前記４つの側面部で四角筒を構成し該四角筒の開口を前記内側蓋片部で閉じた後にオーバーラップして閉じる外側蓋片部であって、側面部より延在する方向の長さが前記内側蓋片部の延在方向の長さと略同一であり、
四角筒の少なくとも一方の開口に対応する前記外側蓋片部に、張出端の中央部に易突き破り部を有すると共に、この易突き破り部に対応する前記内側蓋片部に、張出端の中央部に舌片部を有しかつ舌片部の両側に湾部を有し、
前記４つの側面部で四角筒を構成し該四角筒の開口を前記内側蓋片部で閉じさらに前記外側蓋片部をオーバーラップして閉じたときに、前記内側蓋片部の舌片部は、前記外側蓋片部間の隙間を閉じるように構成されていると共に、前記内側蓋片部の湾部は、前記外側蓋片部の易突き破り部に対応している、
ことを特徴とする包装箱用型紙。
【請求項２】
前記内側蓋片部の湾部は、包装体を構成する包装箱の状態において、前記外側蓋片部の易突き破り部を指で突き破る際に、該指に当たらないように鋭角部を無くした形状である、
ことを特徴とする請求項１に記載の包装箱用型紙。
【請求項３】
請求項１または２に記載の包装箱用型紙により包装箱を折り上げかつ内部に被包装物を収容したことを特徴とする包装体。
【発明の詳細な説明】
【技術分野】
【０００１】
本発明は、蓋片部の閉じ合わせを接着で行い、開封は蓋片部を引き剥がすタイプの包装箱用型紙及びこの包装箱用型紙を用いた包装体に関する。
【背景技術】
【０００２】
例えば特許文献１に、板紙あるいはダンボール紙等の薄板材をプレス打ち抜きしてなる包装箱用型紙を形成し、この包装箱用型紙を用いた直方体の箱を折り上げ、蓋片部の閉じあわせをホットメルト接着で行うタイプの包装箱が開示されている。しかし、この包装箱では、蓋片部を引き剥がして開封するのではなくて、帯状の破断部を引き裂いて開封する。
【０００３】
図４〜図６は、従来の、蓋片部の閉じ合わせを接着で行い、開封は蓋片部を引き剥がすタイプの包装箱用型紙を示す。図４に示すように、この包装箱用型紙１０Ａは、薄板材よりなり、易折り線で区画された４つの側面部１１、１２、１３、１４と、箱形成時に側面部１１の内側に重ねられ接着されるフラップ１５と、４つの側面部１１〜１４のそれぞれの両側に易折り線を介して延在される８つの蓋片部１６,１６、１７,１７、１８,１８、１９,１９と、を有してなる。
【０００４】
この包装箱用型紙１０Ａは、側面部１１、１３及びフラップ１５の配列方向の寸法はａであり、側面部１２、１４の配列方向の寸法はｂであり、ｂ＞ａである。さらに、蓋片部１６,１６、１８,１８の側面部から延在する方向の寸法はｂ/２であり、蓋片部１７,１８、１９,１９の側面部から延在する方向の寸法はａ/２である。さらに、蓋片部１６,１６の張出端の中央に半円のミシン目状切込みと半円を二分する直線状切込みからなる易突き破り部２０,２０を有し、蓋片部１７,１７の張出端の中央に半円状湾部２１,２１を有する。
【０００５】
図４に示す包装箱用型紙１０Ａは、４つの側面部１１、１２、１３、１４とフラップ１５を易折り線においてそれぞれ直角に折り曲げてフラップ１５を側面部１１の内側に重ねかつ重ね合わせ面をホットメルトで接着して四角筒として、片側の蓋片部１６、１７、１８、１９を閉じてから被包装物（不図示）を収容し、残り片側の蓋片部１６、１７、１８、１９を閉じて包装体とするものであり、図５は、残り片側の蓋片部１７、１９を閉じ、蓋片部１６、１８をこれから閉じる状態を示し、蓋片部１６、１８を閉じた包装箱１９Ｂの完成状態を図６に示している。
【０００６】
易突き破り部２０は、半径が一回り大きい半円状湾部２１,２１で構成される丸孔に位置し、易突き破り部２０の内側に蓋片部１７、１９が重なっていないので、指で突き破ることができる。開封するには、易突き破り部２０を突き破り、次いで、易突き破り部２０の端を引っ張ってホットメルトの接着を破壊して蓋片部１６、１７、１８、１９を開く。
【特許文献１】特開２００３−１６５５３３号公報
【発明の開示】
【発明が解決しようとする課題】
【０００７】
図４〜図６は、従来の、蓋片部の閉じ合わせを接着で行い、開封は蓋片部を引き剥がすタイプの包装箱用型紙によれば、蓋片部１６,１６、１８,１８の側面部から延在する方向の寸法と、蓋片部１７,１８、１９,１９の側面部から延在する方向の寸法とが相違しているので、用意する薄板材の寸法は、図４に示すように、Ｘ＝ａ×３＋ｂ×２、Ｙ１＝ｃ＋ｂであり、プレス内抜きして排出する半端材は大きなものとなっており、資源の無駄使いになっていると共に、半端材の廃棄費用が高く付いている。
【０００８】
本発明は、上記の問題点を解決するためになされたものであり、用意する薄板材の寸法を従来よりも小さくすることができて、原材料費を大幅に低減でき、半端材の排出を大幅に低減でき、半端材の廃棄費用を低減でき、資源の有効利用に繋がる包装箱用型紙及びこの包装箱用型紙を用いた包装体を提供することを目的とする。
【課題を解決するための手段】
【０００９】
上記課題を解決するため、請求項１に記載の本発明は、薄板材よりなり、易折り線で区画され一列に配列された四角筒を構成するための４つの側面部と、前記４つの側面部のいずれか一方の端の側面部より易折り線を介して延在されかつ箱形成時に折り込まれ他方の端の側面部の内側に重ね接着されるフラップと、前記４つの側面部のそれぞれの両側に易折り線を介して延在される８つの蓋片部と、を有してなり、前記８つの蓋片部の中、側面部配列方向の寸法が大きい２つの側面部に延在される４つの蓋片部は、前記４つの側面部で四角筒を構成し該四角筒の開口を先に閉じる内側蓋片部であって、側面部より延在する方向の長さが前記四角筒の短辺中央にて突合せ状態に閉じる大きさであり、前記８つの蓋片部の中、側面部配列方向の寸法が小さい２つの側面部に延在される４つの蓋片部は、前記４つの側面部で四角筒を構成し該四角筒の開口を前記内側蓋片部で閉じた後にオーバーラップして閉じる外側蓋片部であって、側面部より延在する方向の長さが前記内側蓋片部の延在方向の長さと略同一であり、四角筒の少なくとも一方の開口に対応する前記外側蓋片部に、張出端の中央部に易突き破り部を有すると共に、この易突き破り部に対応する前記内側蓋片部に、張出端の中央部に舌片部を有しかつ舌片部の両側に湾部を有し、前記４つの側面部で四角筒を構成し該四角筒の開口を前記内側蓋片部で閉じさらに前記外側蓋片部をオーバーラップして閉じたときに、前記内側蓋片部の舌片部は、前記外側蓋片部間の隙間を閉じるように構成されていると共に、前記内側蓋片部の湾部は、前記外側蓋片部の易突き破り部に対応している包装箱用型紙としたことを特徴とする。
【００１０】
この構成により、従来において外側蓋片部の長い方の丈を、内側蓋片部の短い方の丈に略合わせて、薄板材を幅の出入りがないように幅一杯に型抜きして包装箱用型紙を形成できるので、従来に比べて小幅の薄板材を用いることができるから原材料費を大幅に低減でき、かつ半端材（余分カット材）の排出も大幅に低減でき、もって材料コストを低減でき、半端材の廃棄費用を大幅に低減できる。
【００１１】
請求項２に記載の本発明は、請求項１に記載の構成に加え、前記内側蓋片部の湾部は、包装体を構成する包装箱の状態において、前記外側蓋片部の易突き破り部を指で突き破る際に、該指に当たらないように鋭角部を無くした形状である、ことを特徴とする。これにより、外側蓋片部の易突き破り部を指で突き破る際に該指を内側蓋片部の鋭角部に突き当てて怪我してしまうことを回避できる。
【００１２】
請求項３に記載の本発明は、請求項１または２に記載の包装箱用型紙により包装箱を折り上げかつ内部に被包装物を収容した包装体としたことを特徴とする。これにより、従来に比べて包装材コストを低減でき、包装箱用型紙の製造時に排出する半端材の廃棄量も少なくなり、処分費も大幅に低減できる包装箱として、被包装物を収容した包装体を提供することができる。
【発明の効果】
【００１３】
本発明によれば、用意する薄板材の寸法を従来よりも小さくすることができて、原材料費を大幅に低減でき、半端材の排出も大幅に低減でき、半端材の廃棄費用を低減でき、資源の有効利用に繋がる包装箱用型紙及びこの包装箱用型紙を用いた包装体を提供することができる。
【発明を実施するための最良の形態】
【００１４】
以下に、本発明の実施形態に係る包装箱用型紙及び包装体を図面を参照して説明する。
【００１５】
〔第１実施形態〕
まず、図１を参照して包装箱用型紙の構成について説明する。
この包装箱用型紙３０Ａは、蓋片部同士の閉じ合わせをホットメルト接着で行い、開封は蓋片部を引いてホットメルト接着を破壊し開くタイプである。この包装箱用型紙３０Ａは、ダンボール紙、板紙、プラスチック薄板、その他の薄板材をプレスマシンで型抜きする等により製造される。
【００１６】
包装箱用型紙３０Ａは、四角筒を構成するための４つの側面部３１、３２、３３、３４と、側面部３４より延在する１つのフラップ３５と、各側面部３１〜３４のそれぞれの両側に延在する８つの蓋片部３６,３６、３７,３７、３８,３８、３９,３９とが易折り線で区画されてなる。蓋片部３７、３９は先に閉じて内側蓋片部であり、蓋片部３６、３７は後から閉じて内側蓋片部に重ねホットメルト接着される外側蓋片部である。図１において、易折り線について側面部３１、３２、３３、３４等の区画線として図示しているが符号を付していない。この易折り線は、薄板材をプレスマシンで型抜きして包装箱用型紙３０Ａを形成する際に、所要位置を線状にプレスして板厚を薄肉として折れ曲がり強度を弱くした筋線である。
【００１７】
この包装箱用型紙３０Ａは、側面部３１、３３及びフラップ３５の配列方向の寸法はａであり、側面部３２、３４の配列方向の寸法はｂであり、ｂ＞ａである。蓋片部３７,３８、３９,３９の側面部から延在する方向の寸法はａ/２である。これら寸法は、従来と同様である。蓋片部３６,３６、３８,３８の側面部から延在する方向の寸法はａ/２であり、従来ではｂ/２としていたことと相違する。従って、プレス打ち抜き加工により包装箱用型紙３０Ａを得るために用意する薄板材の寸法は、図１中に示すように、Ｘ＝ａ×３＋ｂ×２、Ｙ１＝ｃ＋ａである。
【００１８】
４つの側面部３１、３２、３３、３４と１つのフラップ３５は、一列に配列される。４つの側面部３１、３２、３３、３４で横寸法ａ×縦寸法ｂの口径の四角筒を形成する際、フラップ３５は、側面部３１の内側に重なる部分であり、側面部３１とフラップ３５との重ね合わせ面をホットメルト接着される。フラップ３５の配列方向の寸法はａであることは必須の構成要件ではないが、この寸法にすると、包装機による四角筒の折込み、ホットメルト接着が容易になる。
【００１９】
図２は、包装箱用型紙３０Ａを用いて包装箱に折り上げる工程の斜視図を示し、図３は、包装箱用型紙３０Ａを用いて包装箱を折り上げかつ包装箱に被包装物を収容してなる包装体３０Ｂの斜視図を示す。
【００２０】
図３に示す包装体３０Ｂとするには、図１に示す包装箱用型紙３０Ａの４つの側面部３１、３２、３３、３４とフラップ３５を易折り線においてそれぞれ直角に折り曲げてフラップ３５を側面部３１の内側に重ねかつ重ね合わせ面をホットメルトで接着して四角筒とし、次いで、片側の蓋片部３７、３９を閉じさらに蓋片部３６、３８を閉じてから、被包装物（不図示）を収容し、他側の蓋片部３７、３９を閉じさらに蓋片部３６、３８を閉じて該包装体３０Ｂとするものである。
【００２１】
図１に示すように、ｂ＞ａの関係から、側面部３１，３３から延在する蓋片部３６,３６、３８,３８の延在方向の寸法をａ/２とすると、図３に示すように、蓋片部３６と蓋片部３８は、突き合わなくなる。このため、蓋片部３７,３７の張出端中央部に舌片部３７ａ,３７ａを有し、また蓋片部３９,３９の張出端中央部に舌片部３９ａ又は３９ａを有することによって、蓋片部３６と蓋片部３８との間を舌片部３７ａ,３９ａにより閉じる構成とした。
【００２２】
舌片部３７ａ又は３９ａの幅を適当な大きさにすると、舌片部３７ａ,３９ａの閉じ合わせ位置に対する外方からの突き込み力に対する一定の強度を保有できる。そして、図１に示すように、蓋片部３６,３６、３８,３８の張出端中央部には、易突き破り部４０,４０を有している。この易突き破り部４０,４０は、半円のミシン目状切込み及びこの半円を二分する半径方向の直線状切込みからなる例を示すが、これに限定されない。
【００２３】
易突き破り部４０と蓋片部３７及び蓋片部３９に形成された湾部３７ｂ,３９ｂとの関係について説明する。図３に示すように包装箱として折り上げたとき、蓋片部３６と蓋片部３８が離れることに伴い、蓋片部３６、３８の易突き破り部４０,４０も舌片部３７ａ,３９ａを挟んで離れることになる。もしも、易突き破り部４０の内側に蓋片部３７及び蓋片部３９が重なっていると、蓋片部３７及び蓋片部３９が易突き破り部４０の裏当てになるので、易突き破り部４０を爪を立てて指で押圧しても突き破り難くなる。そこで、本発明では、易突き破り部４０の内側に、蓋片部３７及び蓋片部３９に形成された湾部３７ｂ,３９ｂが位置する構成となっている。これにより、易突き破り部４０の内側に蓋片部３７及び蓋片部３９による裏当てが無いので、該易突き破り部４０に対して外方から爪を立てて指で押圧すると容易に突き破ることができるようになっている。
【００２４】
開封するには、易突き破り部４０を突き破ってから該易突き破り部４０に蓋片部３６及び蓋片部３８の縁に指を掛けて外方へ引いて蓋片部３７及び蓋片部３９との間のホットメルト接着を破壊して蓋片部３６、３７、３８、３９を開く。
【００２５】
蓋片部３７及び蓋片部３９の湾部３７ｂ、３９ｂには、丸角３７ｃ、３９ｃを形成してあり、これにより、包装箱の状態から易突き破り部４０を突き破る際に、該指に当たらないように鋭角部を無くした形状としてあり、指の負傷を回避できるようにしている。
【００２６】
この実施形態によれば、従来において外側蓋片部の長い方の丈を、内側蓋片部の短い方の丈に合わせて、薄板材を幅の出入りがないように幅一杯に型抜きして包装箱用型紙を形成できるので、従来の薄板材（Ｘ＝ａ×３＋ｂ×２、Ｙ１＝ｃ＋ｂ）に比べて、小幅の薄板材（Ｘ＝ａ×３＋ｂ×２、Ｙ２＝ｃ＋ａ）を用いることができかつ半端材（余分カット材）の排出を大幅に低減でき、もって材料コストを低減でき、半端材の廃棄費用を大幅に低減できる。そして、外側蓋片部の易突き破り部を指で突き破る際に、該指に当たらないように鋭角部を無くしたので、外側蓋片部の易突き破り部を指で突き破る際に該指を内側蓋片部の鋭角部に突き当てて怪我してしまうことを回避できる。
【００２７】
この実施形態によれば、従来に比べて包装材コストを低減でき、包装箱用型紙の製造時に排出する半端材の廃棄量も少なくなり、処分費も大幅に低減できる包装箱として、被包装物を収容した包装体を提供することができる。
【００２８】
〔その他の実施形態〕
本発明は上記実施形態にこれに限定されるものでなく、要旨に含まれる種々の設計変更を含むものである。
【００２９】
例えば、上記第１実施形態によれば、舌状部３７ａ,３９ａと湾部３７ｂ,３９ｂと易突き破り部４０とを両側開口に備えた構成としたが、片側だけに設ける場合も本発明は含んでいる。
【００３０】
また、上記第１実施形態によれば、縦寸法をｂ、横寸法をａとしたが、縦長の矩形としたのは、包装機及び被包装物の詰め込みとの関連における便宜上の取り扱いであり、横長の矩形とする場合も含まれる。
【００３１】
さらに、上記第１実施形態によれば、外側蓋片部３６,３８の端縁を内側蓋片部３７,３９の端縁に合わせた構成としたが、本発明は、平面展開において、外側蓋片部３６,３８の端縁が内側蓋片部３７,３９の端縁にぴったり一致している打ち抜き形状である必要は無く、略一致していれば良い。
理由は、原材（薄板材）に印刷したデザインがずれる場合があり、このデザインのずれを修正する打ち抜きをするには、原材（薄板材）の寸法は、上記第１実施形態のようなＸ、Ｙ２とはしないで、Ｘ、Ｙ２のそれぞれ数ｍｍ足した寸法とする。この原材（薄板材）に筐体のデザインを印刷し、このデザインに合わせて打ち抜く際に、内側蓋片部３７,３９にあっては正確な閉じ合わせが行えるように正確な寸法採りとなるように打ち抜き、外側蓋片部３６,３８にあっては原材（薄板材）の幅寸法一杯を利用した形状として半端材の排出を少なくする。
このようなことに対応して、請求項１に記載においては、「…外側蓋片部であって、側面部より延在する方向の長さが前記内側蓋片部の延在方向の長さと略同一であり、…」、及び「…前記内側蓋片部の舌片部は、前記外側蓋片部間の隙間を閉じる…」と記載したことにより、内側蓋片部と外側蓋片部の延在方向の長さがぴったり一致していない場合であっても、一対の内側蓋片部はぴったりと突き合わせ状態に閉じ、一対の外側蓋片部は隙間を開けて閉じることができる場合を権利範囲に含めることを明示した。
【図面の簡単な説明】
【００３２】
【図１】第１実施形態に係る包装箱用型紙の斜視図である。
【図２】図１の包装箱用型紙から包装箱に折り上げる工程の斜視図である。
【図３】図１の包装箱用型紙から折り上げた包装箱の斜視図である。
【図４】従来の包装箱用型紙の斜視図である。
【図５】図４の包装箱用型紙から包装箱に折り上げる工程の斜視図である。
【図６】図４の包装箱用型紙から折り上げた包装箱の斜視図である。
【符号の説明】
【００３３】
３０Ａ  包装箱用型紙
３０Ｂ  包装箱
３１,３２,３３,３４  側面部
３５  フラップ
３６,３８  蓋片部（外側蓋片部）
３７,３９  蓋片部（内側蓋片部）
３７ａ  舌片部
３７ｂ  湾部
４０  易突き破り部
【図１】
0005021393.tif 000002
【図２】
0005021393.tif 000003
【図３】
0005021393.tif 000004
【図４】
0005021393.tif 000005
【図５】
0005021393.tif 000006
【図６】
0005021393.tif 000007